(57)【特許請求の範囲】
【請求項１】
文字を入力する操作キーを有する操作手段、
上記操作キーの操作内容を示す操作情報を送信する本体側送信手段、
文字又は文字列を受信する本体側受信手段、
及び上記本体側受信手段の受信した上記文字又は文字列を表示する表示手段を備えた電子機器と、
上記本体側送信手段から上記操作情報を受信するカード側受信手段、
このカード側受信部の受信した上記操作情報に対応する上記文字又は文字列を特定する特定手段、
文字又は文字列の指定される頻度を示す頻度情報を記憶するカード側記憶手段、
上記特定手段の特定した上記文字又は文字列を上記本体側受信手段へ送信するとともに、操作情報に対応する上記文字又は文字列が複数存在する場合、上記頻度情報に基づいて複数の上記文字又は文字列を送信するカード側送信手段を備えたスマートカードと、
からなることを特徴とする文字入力システム。
【請求項２】
本体側受信手段がカード側送信手段から複数の文字又は文字列を受信すると、表示手段は上記複数の文字又は文字列を操作手段によって指定可能に表示する
ことを特徴とする請求の範囲第１項記載の文字入力システム。
【請求項３】
電子機器は、文字又は文字列の指定される頻度を示す頻度情報を記憶する本体側記憶手段を備え、
表示手段は、複数の上記文字又は文字列を表示する場合、上記頻度情報に基づいて、上記文字又は文字列を表示する
ことを特徴とする請求の範囲第２項記載の文字入力システム。
【請求項４】
文字を入力する操作キーを有する操作手段と、
上記本体側送信手段から上記操作情報を受信するカード側受信手段、このカード側受信部の受信した上記操作情報に対応する上記文字又は文字列を特定する特定手段、文字又は文字列の指定される頻度を示す頻度情報を記憶するカード側記憶手段、上記特定手段の特定した上記文字又は文字列を上記本体側受信手段へ送信するとともに、操作情報に対応する上記文字又は文字列が複数存在する場合、上記頻度情報に基づいて複数の上記文字又は文字列を送信するカード側送信手段を備えたスマートカードに、上記操作キーの操作内容を示す操作情報を送信する送信手段と、
上記スマートカードから送信される文字又は文字列を受信する受信手段と、
この受信手段の受信した上記文字又は文字列を表示する表示手段と、
を備えたことを特徴とする電子機器。
【請求項５】
電子機器に接続されるスマートカードにおいて、
上記電子機器から文字を入力する操作キーの操作内容を示す操作情報を受信する受信手段と、
この受信手段の受信した上記操作情報に対応する文字又は文字列を特定する特定手段と、
文字又は文字列の指定される頻度を示す頻度情報を記憶するカード側記憶手段、
上記特定手段の特定した上記文字又は文字列を上記電子機器に送信するとともに、操作情報に対応する上記文字又は文字列が複数存在する場合、上記頻度情報に基づいて複数の上記文字又は文字列を送信する送信手段と
を備えたことを特徴とするスマートカード。
【発明の詳細な説明】
【技術分野】
【０００１】
この発明は、例えば、通信端末（携帯電話，固定電話機、携帯情報端末等）に電話番号を登録する際の文字入力等を簡易化することができる文字入力システム、この文字入力システムに適用する電子機器及びスマートカードに関するものである。
【背景技術】
【０００２】
第１図は従来の通信装置を示す構成図であり、図において、１は通信装置の通信端末である携帯電話機（電子機器）、２は電話番号や文字を入力する操作キー、３は操作キー２の操作情報を表示するディスプレイである。
【０００３】
次に動作について説明する。
まず、携帯電話機１を用いて電話をかける場合、相手方の電話番号に対応する操作キー２を順番にプッシュする操作を実行するが、例えば、特定人の電話番号を携帯電話機１に登録する場合には、特定人の名前や名称を文字入力する必要がある。
文字入力できる文字の種類は、携帯電話機によって異なるが、一般的に、ローマ字，カタカナ，ひらがな等の入力が可能である（機種によっては漢字入力が可能なものもある）。
【０００４】
しかし、携帯電話機１の操作キー２は、一般的に、十数個配置されるに過ぎず（第１図の例では、数値キーが１２個配置されている）、すべてのアルファベット等が個別の操作キー２に割り付けられることはないので、一般的に字入力の操作方法は複雑なものとなる。
【０００５】
ここで、文字入力の一般的な操作方法を２通り説明する。
１．第１の操作方法
例えば、ローマ字を入力する場合、操作キー２のうち、該当するアルファベットが記載されている数値キーを記載位置に対応する回数だけプッシュすることにより入力する。
具体的には、”Ａ”を入力する場合、”２”の数値キーを１回プッシュする。
”Ｂ”を入力する場合、”２”の数値キーを２回プッシュする。
”Ｃ”を入力する場合、”２”の数値キーを３回プッシュする。
また、”Ｋ”を入力する場合、”５”の数値キーを２回プッシュする。
【０００６】
２．第２の操作方法
例えば、ローマ字を入力する場合、操作キー２のうち、該当するアルファベットが記載されている数値キーを最初にプッシュし、その後、該当するアルファベットの記載位置に対応する数値を示す数値キーをプッシュすることにより入力する。
具体的には、”Ａ”を入力する場合、”２”の数値キーをプッシュした後、”１”の数値キーをプッシュする。
”Ｂ”を入力する場合、”２”の数値キーをプッシュした後、もう一度”２”の数値キーをプッシュする。
”Ｃ”を入力する場合、”２”の数値キーをプッシュした後、”３”の数値キーをプッシュする。
また、”Ｋ”を入力する場合、”５”の数値キーをプッシュした後、”２”の数値キーをプッシュする。
なお、漢字を入力する場合の操作方法は、特に説明しないが、ローマ字を入力する場合よりも、相当複雑になる。
【０００７】
従来の通信装置は以上のように構成されているので、携帯電話機１に定められた操作方法に従って操作キー２を操作すれば、所望の文字を入力することができるが、文字入力の操作方法が複雑であるにも拘わらず、携帯電話機１の機種が異なると、文字入力の操作方法が異なるため、例えば、使用者が新たに携帯電話機１を購入して、電話番号の登録等を行う場合には、その携帯電話機１における文字入力の操作方法を新たにマスターしなければならず、文字入力の操作性が損なわれるなどの課題があった。
この発明は上記のような課題を解決するためになされたもので、携帯電話機等の機種が異なる場合でも、共通の操作方法に従って文字を入力することができる通信装置を得ることを目的とする。
【発明の開示】
【０００８】
この発明に係る文字入力システムは、文字を入力する操作キーを有する操作手段、
上記操作キーの操作内容を示す操作情報を送信する本体側送信手段、
文字又は文字列を受信する本体側受信手段、
及び上記本体側受信手段の受信した上記文字又は文字列を表示する表示手段を備えた電子機器と、
上記本体側送信手段から上記操作情報を受信するカード側受信手段、
このカード側受信部の受信した上記操作情報に対応する上記文字又は文字列を特定する特定手段、
文字又は文字列の指定される頻度を示す頻度情報を記憶するカード側記憶手段、
上記特定手段の特定した上記文字又は文字列を上記本体側受信手段へ送信するとともに、操作情報に対応する上記文字又は文字列が複数存在する場合、上記頻度情報に基づいて複数の上記文字又は文字列を送信するカード側送信手段を備えたスマートカードと、
からなるものである。
この発明によれば、キー操作の操作内容をそのままスマートカードに送信し、スマートカードが文字を特定するための情報に変換して文字を読み出すので、通信端末の機種が異なる場合でも、共通の操作方法に従って文字又は文字列を簡易且つ操作性良く入力することができる効果がある。
【発明を実施するための最良の形態】
【０００９】
以下、この発明をより詳細に説明するために、この発明を実施するための最良の形態について、添付の図面に従って説明する。
実施の形態１．
第２図はこの発明の実施の形態１による通信装置を示す構成図であり、図において、１１は通信装置の通信端末である携帯電話機、１２は携帯電話機１１に接続されるスマートカード、１３は電話番号や文字を入力するキーパッド（操作キー）、１４はキーパッド１３の操作情報をスマートカード１２に送信する送信部（送信手段）、１５は携帯電話機１１の送信部１４から送信されたキーパッド１３の操作情報を受信する受信部、１６は操作情報に対応する文字又は文字列を特定する機能を実現するプログラムを記憶する記憶装置、１７は受信部１５がキーパッド１３の操作情報を受信すると、記憶装置１６に記憶されているプログラムにしたがって、その操作情報に対応する文字又は文字列を特定するマイクロプロセッサ、１８はマイクロプロセッサ１７により特定された文字又は文字列を携帯電話機１１に送信する送信部である。
【００１０】
また、１９はスマートカード１２の送信部１８から送信された文字又は文字列を受信する受信部（受信手段）、２０はキーパッド１３の操作情報を送信部１４及びディスプレイ２２に出力する一方、受信部１９が文字又は文字列を受信すると、その文字又は文字列をワークメモリ２１に格納するとともに、その文字又は文字列をディスプレイ２２に出力するマイクロプロセッサ、２１は文字又は文字列等を格納するワークメモリ、２２はキーパッド１３の操作情報を表示するとともに、スマートカード１２から送信された文字又は文字列を表示するディスプレイ（提示手段）である。
なお、第３図及び第４図はマイクロプロセッサ２０の処理内容を示すフローチャートである。
【００１１】
次に動作について説明する。
携帯電話機１１には、一般的に、電話番号の入力を受け付ける通常の動作モードの他に、特定人の電話番号の登録を受け付ける登録モード等を有している。
従って、携帯電話機１１のマイクロプロセッサ２０は、現在設定されているモードを常に把握し、例えば、現在、通常の動作モードに設定されている場合には、キーパッド１３の操作情報は、相手側の電話番号であると解釈し、その電話番号をディスプレイ２２に表示させるとともに、その電話番号にしたがって発呼処理を実行する（ステップＳＴ１，ＳＴ２）。
【００１２】
一方、特定人の電話番号の登録を受け付ける登録モードに設定されている場合には、キーパッド１３の操作情報に対応する文字等の特定処理をスマートカード１２に実行させるため、キーパッド１３の操作情報を送信部１４に出力する。また、その際、使用者の操作性を高めるため、キーパッド１３の操作情報や操作補助情報（例えば、操作方法を明示する情報）をディスプレイ２２に表示させる（ステップＳＴ４）。
【００１３】
そして、送信部１４は、マイクロプロセッサ２０からキーパッド１３の操作情報が出力されると、その操作情報をスマートカード１２に送信する（ステップＳＴ３）。
【００１４】
そして、スマートカード１２のマイクロプロセッサ１７は、受信部１５がキーパッド１３の操作情報を受信すると、記憶装置１６に記憶されているプログラムにしたがって、その操作情報に対応する文字又は文字列を特定する。
【００１５】
ここで、操作情報にはプッシュされたキーパッド１３を特定するコードや、キーパッド１３が繰り返しプッシュされた回数等を示す情報が含まれ、当該プログラムにはコードやプッシュ回数等から文字又は文字列を特定する処理内容が記述されている。
【００１６】
そして、スマートカード１２のマイクロプロセッサ１７は、操作情報に対応する文字又は文字列を特定すると、その文字又は文字列を送信部１８に出力し、その送信部１８が文字又は文字列を携帯電話機１１に送信する。
【００１７】
携帯電話機１１のマイクロプロセッサ２０は、受信部１９が文字又は文字列を受信すると、電話番号の登録処理を実行するため（登録処理の内容は省略する）、その文字又は文字列をワークメモリ２１に格納するとともに（ステップＳＴ５）、その文字又は文字列をディスプレイ２２に表示させる。
【００１８】
以上で明らかなように、この実施の形態１によれば、携帯電話機１１の送信部１４からキーパッド１３の操作情報を受信すると、スマートカード１２のマイクロプロセッサ１７がキーパッド１３の操作情報に対応する文字又は文字列を特定するように構成したので、携帯電話機１１にスマートカード１２を接続すれば、携帯電話機１１の機種が異なる場合でも、共通の操作方法に従って文字を入力することができる効果を奏する。
【００１９】
また、漢字入力の場合、非常に多数の文字を取り扱うことになるため、ソフトウエアの規模が極めて大きくなり、マイクロプロセッサの処理負担が大きくなるが、この実施の形態１では、スマートカード１２のマイクロプロセッサ１７が処理するので、携帯電話機１１のマイクロプロセッサ２０における処理負担の増大を抑制することができる効果を奏する。
【００２０】
さらに、操作情報に対応する文字又は文字列を特定する機能を実現するプログラム等を携帯電話機１１のメモリに記憶させる必要がなくなり、携帯電話機１１のメモリ容量を低減できる効果も奏する。
【００２１】
実施の形態２．
上記実施の形態１では、キーパッド１３の操作情報に対応する文字又は文字列をディスプレイ２２に表示するものについて示したが、キーパッド１３の操作情報に対応する文字等が複数個存在する場合がある。
例えば、操作情報から読み方が”あ”を示す漢字が特定される場合、”亜”，”阿”，”娃”等の文字が表示される。
【００２２】
このように、複数の文字又は文字列（文字候補）が表示される場合には、キーパッド１３を操作することにより、所望の文字又は文字列を選択することができる。
即ち、キーパッド１３（指定手段）を操作すると、携帯電話機１１のマイクロプロセッサ２０（指定手段）が、その操作内容に基づいて所望の文字又は文字列をワークメモリ２１に格納する処理を実行する。
【００２３】
これにより、複数の文字候補から所望の文字を指定する必要がある漢字入力等にも対応することができる効果を奏する。
【００２４】
実施の形態３．
第５図はこの発明の実施の形態３による通信装置を示す構成図であり、図において、第２図と同一符号は同一または相当部分を示すので説明を省略する。
２３は文字又は文字列（文字候補）の指定頻度を示す頻度情報を格納する不揮発性メモリ（メモリ）、２４はマイクロプロセッサ１７と同様の機能を有する他に、操作情報に対応する文字候補が複数存在する場合、不揮発性メモリ２３に格納されている頻度情報を参照し、指定頻度の高い文字候補から優先的に送信するマイクロプロセッサである。
【００２５】
次に動作について説明する。
上記実施の形態２では、キーパッド１３の操作情報に対応する文字候補が複数個存在する場合、複数の文字候補を表示するものについて示したが、携帯電話機１１のマイクロプロセッサ２０は、通常、スマートカード１２から送信される文字候補の送信順に表示する。
【００２６】
従って、使用者が指定する可能性の高い文字候補が最初に送信されれば、その文字候補が最初に表示されるので、所望の文字を指定する際の操作回数が少なくなり、使用者の操作性が向上する。
【００２７】
そこで、この実施の形態３では、使用者が指定する可能性の高い文字候補を優先的に送信するため、複数の文字候補が存在する場合には、使用者に過去に指定された回数や指定時期等が考慮された文字候補の頻度情報を参照し、指定頻度が高い文字候補から順番に送信する。
【００２８】
これにより、早い時期に送信される文字候補の指定確率が高まり、その結果として、使用者の操作性が向上する効果が得られる。
【００２９】
実施の形態４．
第６図はこの発明の実施の形態４による通信装置を示す構成図であり、図において、第２図と同一符号は同一または相当部分を示すので説明を省略する。
２５は文字又は文字列（文字候補）の指定頻度を示す頻度情報を格納する不揮発性メモリ（メモリ）、２６はマイクロプロセッサ２０と同様の機能を有する他に、操作情報に対応する文字候補が複数存在する場合、不揮発性メモリ２５に格納されている頻度情報を参照し、指定頻度の高い文字候補から優先的に表示させるマイクロプロセッサである。
【００３０】
次に動作について説明する。
上記実施の形態３では、キーパッド１３の操作情報に対応する文字候補が複数個存在する場合、指定頻度が高い文字候補から順番に送信するものについて示したが、スマートカード１２から指定頻度が考慮されずに文字候補が送信される場合には、使用者が指定する可能性の高い文字候補を優先的に表示させるため、携帯電話機１１のマイクロプロセッサ２６が、文字候補の頻度情報を参照し、指定頻度が高い文字候補から順番に表示させるようにしてもよい。
【００３１】
これにより、早い時期に表示される文字候補の指定確率が高まり、その結果として、使用者の操作性が向上する効果が得られる。
【００３２】
実施の形態５．
上記実施の形態３，４では、操作情報に対応する文字又は文字列が複数存在する場合、頻度情報を参照して、文字候補を送信又は表示するものについて示したが、複数の文字候補から所望の文字又は文字列が指定される毎に、マイクロプロセッサ（更新手段）２４，２６が、その指定結果に応じて頻度情報を更新するようにしてもよい。
これにより、使用者の使用状況が反映されるため、所望の文字又は文字列を指定する際の操作性が一層高められる効果を奏する。
【００３３】
実施の形態６．
上記実施の形態３では、操作情報に対応する文字又は文字列が複数存在する場合、頻度情報を参照して、文字候補を送信するものについて示したが、過去の指定結果を示す指定情報を参照して、文字又は文字列の送信順位を決定するようにしてもよい。
例えば、操作情報から特定される読み方が”みつびしたろう”の場合、文字候補として、下記に示すような文字列が得られる場合がある。
第１の候補  →  ”三菱太郎”
第２の候補  →  ”密微志田老”
【００３４】
この場合、２つの文字列が携帯電話機１１に送信されることになるが、上述したように、使用者が指定する可能性の高い文字候補が最初に送信されれば、その文字候補が最初に表示されるので、所望の文字列を指定する際の操作回数が少なくなり、使用者の操作性が向上する。
【００３５】
そこで、この実施の形態６では、使用者が指定する可能性の高い文字候補を優先的に送信するため、複数の文字候補が存在する場合には、マイクロプロセッサ２４が過去の指定結果を示す指定情報を参照する。
【００３６】
例えば、”みつびしたろう”に対応する文字列として、過去に”三菱太郎”が指定された旨を示す指定情報が不揮発性メモリ２３に格納されている場合には、最初に”三菱太郎”を送信してから、”密微志田老”を送信するようにする。
【００３７】
これにより、早い時期に送信される文字候補の指定確率が高まり、その結果として、使用者の操作性が向上する効果が得られる。
【００３８】
実施の形態７．
上記実施の形態６では、キーパッド１３の操作情報に対応する文字候補が複数個存在する場合、過去に指定された文字候補から順番に送信するものについて示したが、スマートカード１２から過去の指定結果が考慮されずに文字候補が送信される場合には、使用者が指定する可能性の高い文字候補を優先的に表示させるため、携帯電話機１１のマイクロプロセッサ２６が、不揮発性メモリ２５に格納された指定情報を参照し、過去に指定された文字候補から順番に表示させるようにしてもよい。
【００３９】
これにより、早い時期に表示される文字候補の指定確率が高まり、その結果として、使用者の操作性が向上する効果が得られる。
【００４０】
実施の形態８．
上記実施の形態６，７では、操作情報に対応する文字又は文字列が複数存在する場合、指定情報を参照して、文字候補を送信又は表示するものについて示したが、複数の文字候補から所望の文字又は文字列が指定される毎に、マイクロプロセッサ（更新手段）２４，２６が、その指定結果に応じて指定情報を更新するようにしてもよい。
【００４１】
これにより、使用者の使用状況が反映されるため、所望の文字又は文字列を指定する際の操作性が一層高められる効果を奏する。
【００４２】
実施の形態９．
上記実施の形態３〜８では、携帯電話機１１又はスマートカード１２の何れか一方に不揮発性メモリを搭載し、その不揮発性メモリに頻度情報又は指定情報を格納するものについて示したが、第７図に示すように、携帯電話機１１及びスマートカード１２の双方に不揮発性メモリ２３，２５を搭載するようにしてもよい。
【００４３】
また、その際、マイクロプロセッサ（転送手段）２４等が、スマートカード１２の不揮発性メモリ２３に格納された頻度情報と指定情報を携帯電話機１１の不揮発性メモリ２５に送信する一方、マイクロプロセッサ（転送手段）２６等が、携帯電話機１１の不揮発性メモリ２５に格納された頻度情報と指定情報をスマートカード１２の不揮発性メモリ２３に送信するようにしてもよい。
【００４４】
これにより、例えば、使用するスマートカード１２を変更する場合でも、携帯電話機１１を経由して、使用者の使用状況を新たなスマートカードに反映させることができる効果を奏する。
【００４５】
実施の形態１０．
上記実施の形態９では、不揮発性メモリ２３，２５の格納内容を相互に転送するものについて示したが、キーパッド１３やマイクロプロセッサ２４，２６等の編集手段を用いて、不揮発性メモリ２３，２５の格納内容を編集できるようにしてもよい。
【００４６】
これにより、必要に応じて冗長データの削除等が可能になるため、頻度情報や指定情報の最適化を図ることができるようになり、その結果として、使用者の操作性が一層高められる効果を奏する。
【００４７】
実施の形態１１．
上記実施の形態１０では、キーパッド１３やマイクロプロセッサ２４，２６等を用いて不揮発性メモリ２３，２５の格納内容を編集するものについて示したが、携帯電話機１１とデータ通信可能なパソコン（外部電算機）を用いて、不揮発性メモリ２３，２５の格納内容を編集するようにしてもよい。
【００４８】
具体的には、携帯電話機１１のシリアル端子と、パソコンのシリアル端子を接続して、パソコンが不揮発性メモリ２３，２５をアクセスできる構成にする。
【００４９】
これにより、頻度情報等の編集作業が一層容易になり、編集作業の操作性が高まる効果を奏する。
【００５０】
実施の形態１２．
上記実施の形態１〜１１では、キーパッド１３の操作情報をスマートカード１２に送信するものについて示したが、携帯電話機１１とデータ通信可能なパソコン（外部電算機）の操作情報をスマートカード１２に送信するようにしてもよい。
具体的には、携帯電話機１１のシリアル端子と、パソコンのシリアル端子を接続して、パソコンの操作情報をスマートカード１２に送信するようにする。
【００５１】
これにより、多種類の文字を簡単に入力することができるため、文字入力の操作性が飛躍的に向上する効果を奏する。
【００５２】
実施の形態１３．
上記実施の形態１〜１２では、スマートカード１２が操作情報に対応する文字又は文字列を特定するものについて示したが、携帯電話機１１が操作情報に対応する文字又は文字列を特定する機能を有する場合、文字又は文字列を特定する処理機器（携帯電話機１１又はスマートカード１２）を選択するスイッチ（選択手段）等を設けるようにしてもよい。
【００５３】
これにより、使用者の希望により（例えば、スマートカード１２の接続が面倒な状況にある場合）、携帯電話機１１の機能を用いて文字入力することができる効果を奏する。
【００５４】
実施の形態１４．
上記実施の形態１３では、スイッチ等を用いて文字又は文字列を特定する処理機器を選択するものについて示したが、操作情報に対応する文字又は文字列を特定する機能を有するスマートカードが携帯電話機１１に接続されていない場合（例えば、スマートカード１２の挿入時や電源投入時に、マイクロプロセッサ２０等が接続の有無を検出する）、マイクロプロセッサ２０（特定手段）等が、操作情報に対応する文字又は文字列を特定するようにしてもよい。
【００５５】
これにより、特定する機能を有するスマートカード１２が手元にない場合でも、文字入力することができる効果を奏する。
【００５６】
実施の形態１５．
上記実施の形態１〜１４では、操作情報に対応する文字等を特定する機能を実現するプログラムを記憶装置１６に記憶するものについて示したが、そのプログラムを変更する変更手段を設けるようにしてもよい。
【００５７】
具体的には、携帯電話機１１のシリアル端子と、パソコンのシリアル端子を接続して、パソコンが記憶装置１６をアクセスできる構成にする。
【００５８】
これにより、別の操作方法を使用する希望がある場合でも、別のスマートカードを用意することなく、別の操作方法を使用することができる効果を奏する。
実施の形態１６．
上記実施の形態１〜１４では、プログラムを記憶装置１６に記憶するものについて示したが、携帯電話機１１又はスマートカード１２に複数のプログラムが内蔵されている場合、使用するプログラムを選定するスイッチ（選定手段）等を設けるようにしてもよい。
【００５９】
これにより、使用者が使い易い操作方法を選択することができる効果を奏する。
【００６０】
実施の形態１７．
上記実施の形態１〜１６では、キーパッド１３の操作情報や、スマートカード１２から送信された文字又は文字列をディスプレイ２２に表示するものについて示したが、これらを音響装置等を用いて音声出力するようにしてもよい。
また、これらを携帯電話機１１のシリアル端子等から外部出力するようにしてもよい。
【００６１】
これにより、携帯電話機１１がディスプレイ２２を有していない場合でも、キーパッド１３の操作情報等を提示できる効果を奏する。
【００６２】
【産業上の利用可能性】
以上のように、この発明に係る通信装置は、例えば、携帯電話等の無線端末に電話番号を登録する場合において、文字の入力処理を容易化するものに適している。
【図面の簡単な説明】
【００６３】
【図１】  従来の通信装置を示す構成図である。
【図２】  この発明の実施の形態１による通信装置を示す構成図である。
【図３】  マイクロプロセッサ２０の処理内容を示すフローチャートである。
【図４】  マイクロプロセッサ２０の処理内容を示すフローチャートである。
【図５】  この発明の実施の形態３による通信装置を示す構成図である。
【図６】  この発明の実施の形態４による通信装置を示す構成図である。
【図７】  この発明の実施の形態９による通信装置を示す構成図である。
【図１】
0003897981.tif 000002
【図２】
0003897981.tif 000003
【図３】
0003897981.tif 000004
【図４】
0003897981.tif 000005
【図５】
0003897981.tif 000006
【図６】
0003897981.tif 000007
【図７】
0003897981.tif 000008